(57)【要約】【目的】検査時間が短くなるような検査ルートを検査員に知らせる。【構成】複数の検査箇所がある検査員１が領域に入ると，その現在位置がサーバに送信され，サーバにおいて，検査箇所Ｐ１〜Ｐ５の位置，検査員１の移動時間などを考慮して検査予定箇所Ｐ１，Ｐ２，検査ルートが決定する。決定した検査予定箇所Ｐ１，Ｐ２，検査ルートを表すデータがサーバから検査員１の携帯電話に送信され，携帯電話の表示画面に検査ルートが表示される。検査予定箇所Ｐ１，Ｐ２が破線111，112で示され，検査ルートが矢印Ｒ１で図示される。検査員１または他の検査員が検査予定箇所の検査が終了すると，終了データがサーバに送信されて検査予定箇所および検査ルートが更新される。更新された検査ルート等が検査員１，他の検査員に知らせられる。検査時間が短くなるような検査ルートが更新されて検査員１などに知らせられることとなる。【選択図】図14
2012203839.tif 000002
【特許請求の範囲】
【請求項１】
複数の検査箇所の検査ルートを決定する検査ルート決定システムにおいて，
一の検査員および他の検査員の現在位置を取得する現在位置取得手段，
上記現在位置取得手段によって取得された現在位置から検査箇所までの移動時間および検査箇所での検査時間にもとづいて検査終了までの時間が短くなるように一の検査員および他の検査員の検査ルートをそれぞれ決定する検査ルート決定手段，
上記検査ルート決定手段によって決定された一の検査員の検査ルートを表すデータを一の検査員の携帯端末に送信し，他の検査員の検査ルートを表すデータを他の検査員の携帯端末に送信する検査ルート送信手段，
一の検査員および他の検査員の携帯端末から送信される終了した検査箇所の位置を表すデータを受信する終了位置検査データ受信手段，ならびに
複数の検査箇所のうち，上記終了検査位置データ受信手段によって受信した終了検査位置データによって表される，終了した検査箇所位置を排除した検査箇所の検査ルートを，終了した検査箇所の位置から検査箇所までの移動時間および検査箇所での検査時間にもとづいて検査終了までの時間が短くなるように，一の検査員および他の検査員の検査ルートを決定するように上記検査ルート決定手段を制御する制御手段，
を備えた検査ルート決定システム。
【請求項２】
上記検査ルート決定手段は，
現在位置または終了した検査箇所の位置から検査箇所までの一の検査員および他の検査員の移動可能ルートを検出する移動可能ルート検出手段，
上記移動可能ルート検出手段によって検出された一の検査員および他の検査員の移動可能ルートの距離を算出する距離算出手段，および
検査箇所の標準検査時間ならびに一の検査員および他の検査員の検査能力から検査箇所での一の検査員および他の検査員の検査時間を算出する検査時間算出手段を備え，
上記距離算出手段によって算出された距離を移動するのに必要な移動時間および上記検査時間算出手段によって算出された検査時間にもとづいて検査終了までの時間が短くなるように一の検査員および他の検査員の検査ルートを決定するものである，
請求項１に記載の検査ルート決定システム。
【請求項３】
上記距離算出手段によって算出された一の検査員の移動可能ルートの距離と上記検査時間算出手段によって算出された一の検査員の検査時間とから一の検査員の移動と検査終了までの所要時間のスコアを検査箇所ごとに生成する第１の所要時間スコア生成手段，および
上記距離算出手段によって算出された他の検査員の移動可能ルートの距離と上記検査時間算出手段によって算出された他の検査員の検査時間とから他の検査員の移動と検査終了までの所要時間のスコアを検査箇所ごとに生成する第２の所要時間スコア生成手段を備え，
上記第１の所要時間スコア生成手段によって生成されたスコアと上記第２の所要時間スコア生成手段によって生成されたスコアとのうちスコアによって表わされる所要時間が短くなるスコアの順に一の検査員および他の検査員の検査ルートを決定するものである，
請求項２に記載の検査ルート決定システム。
【請求項４】
複数の検査箇所の検査ルートを決定する検査ルート決定システムの動作制御方法において，
現在位置取得手段が，一の検査員および他の検査員の現在位置を取得し，
検査ルート決定手段が，上記現在位置取得手段によって取得された現在位置から検査箇所までの移動時間および検査箇所での検査時間にもとづいて検査終了までの時間が短くなるように一の検査員および他の検査員の検査ルートをそれぞれ決定し，
検査ルート送信手段が，上記検査ルート決定手段によって決定された一の検査員の検査ルートを表すデータを一の検査員の携帯端末に送信し，他の検査員の検査ルートを表すデータを他の検査員の携帯端末に送信し，
終了位置検査データ受信手段が，一の検査員および他の検査員の携帯端末から送信される終了した検査箇所の位置を表すデータを受信し，
制御手段が，複数の検査箇所のうち，上記終了検査位置データ受信手段によって受信した終了検査位置データによって表される，終了した検査箇所位置を排除した検査箇所の検査ルートを，終了した検査箇所の位置から検査箇所までの移動時間および検査箇所での検査時間にもとづいて検査終了までの時間が短くなるように，一の検査員および他の検査員の検査ルートを決定するように上記検査ルート決定手段を制御する，
検査ルート決定システムの動作制御方法。
【請求項５】
複数の検査箇所の検査ルートを決定する検査ルート決定システムのコンピュータを制御するコンピュータが読み取り可能なプログラムであって，
一の検査員および他の検査員の現在位置を取得させ，
取得された現在位置から検査箇所までの移動時間および検査箇所での検査時間にもとづいて検査終了までの時間が短くなるように一の検査員および他の検査員の検査ルートをそれぞれ決定させ，
決定された一の検査員の検査ルートを表すデータを一の検査員の携帯端末に送信させ，他の検査員の検査ルートを表すデータを他の検査員の携帯端末に送信させ，
一の検査員および他の検査員の携帯端末から送信される，終了した検査箇所の位置を表すデータを受信させ，
複数の検査箇所のうち，受信した終了検査位置データによって表される，終了した検査箇所位置を排除した検査箇所の検査ルートを，終了した検査箇所の位置から検査箇所までの移動時間および検査箇所での検査時間にもとづいて検査終了までの時間が短くなるように，一の検査員および他の検査員の検査ルートを決定させるように検査ルート決定システムのコンピュータを制御するプログラム。
【発明の詳細な説明】
【技術分野】
【０００１】
この発明は，検査ルート決定システムおよびその動作制御方法に関する。
【背景技術】
【０００２】
ビル建設時の検査，プラント，トンネル，ダムなどの巨大建造物などの点検業務，電柱検査など複数の検査箇所を複数の検査員によって検査が行われる場合，重複検査等を未然に防止し，検査効率を上げる必要がある。このために，あらかじめ点検コース情報などが登録されており，その点検コース情報にしたがって点検を行うものがある（特許文献１）。
【０００３】
しかしながら，複数の点検箇所があった場合に，点検が終了しても点検コース情報が更新されないので，複数の検査員によって同時に点検が行われた場合，重複点検が行われることがあり，効率が悪いことがある。
【先行技術文献】
【特許文献】
【０００４】
【特許文献１】特開平6-149346号公報
【発明の開示】
【０００５】
このような場合に，複数の検査員によって同時に点検が行われる場合，複数の点検箇所を検査員の数で割って分担しても必ずしも効率が良くなるとは限らない。たとえば，「柱」，「梁」など検査方法が異なる検査箇所が混在している場合であっても検査箇所間の移動に時間がかからないときには，検査員を移動させても検査員ごとに同じ検査方法の検査を割り当てる方が効率がよい。広いプラントでの点検業務のように検査寒暑間の移動に時間がかかるときには，検査員をあまり移動させずに近い点検箇所を点検させるように検査を割り当てる方が効率がよい。
【０００６】
また，直線距離が近い検査箇所が必ずしも移動距離がもっとも近いとも限らない。このために，単に，検査員の現在位置から直線距離が近い検査箇所を検査員に割り当てても必ずしも効率的に検査を行うことはできない。実際に移動できるルートでの距離を考慮する必要がある。
【０００７】
さらに，予想以上に検査時間がかかる，あるいは検査時間が早く済む，検査員の数が検査途中で減る，あるいは増える，など，検査現場の状況は時々刻々と変化することが多い。このために検査現場での状況に応じて，検査計画を変更する必要も生じる。たとえば，検査員の増減，ある検査箇所の終了などの所定のタイミングで，検査員の検査の最適ルートを再計算する必要が生じる。
【０００８】
この発明は，複数の検査員で同時に複数の検査箇所を検査する場合に効率のよい検査ルートを決定するようにすることを目的とする。また，この発明は，時々刻々と変化する検査現場の状況を考慮して最適なルートを再計算することを目的とする。
【０００９】
この発明は，複数の検査箇所の検査ルートを決定する検査ルート決定システムにおいて，一の検査員および他の検査員の現在位置を取得する現在位置取得手段，複数の検査箇所のうち，上記現在位置検出手段によって検出された現在位置から検査箇所までの移動時間および検査箇所での検査時間にもとづいて検査終了までの時間が短くなるように一の検査員および他の検査員の検査ルートをそれぞれ決定する検査ルート決定手段，上記検査ルート決定手段によって決定された一の検査員の検査ルートを表すデータを一の検査員の携帯端末に送信し，他の検査員の検査ルートを表すデータを他の検査員の携帯端末に送信する検査ルート送信手段，一の検査員および他の検査員の携帯端末から送信される終了した検査箇所の位置を表すデータを受信する終了位置検査データ受信手段，ならびに複数の検査箇所のうち，上記終了検査位置データ受信手段によって受信した終了検査位置データによって表される，終了した検査箇所位置を排除した検査箇所の検査ルートを，終了した検査箇所の位置から検査箇所までの移動時間および検査箇所での検査時間にもとづいて検査終了までの時間が短くなるように，一の検査員および他の検査員の検査ルートを決定するように上記検査ルート決定手段を制御する制御手段を備えていることを特徴とする。
【００１０】
この発明は，上記検査ルート決定システムに適した動作制御方法も提供している。すなわち，この方法は，現在位置取得手段が，一の検査員および他の検査員の現在位置を取得し，検査ルート決定手段が，上記現在位置取得手段によって取得された現在位置から検査箇所までの移動時間および検査箇所での検査時間にもとづいて検査終了までの時間が短くなるように一の検査員および他の検査員の検査ルートをそれぞれ決定し，検査ルート送信手段が，上記検査ルート決定手段によって決定された一の検査員の検査ルートを表すデータを一の検査員の携帯端末に送信し，他の検査員の検査ルートを表すデータを他の検査員の携帯端末に送信し，終了位置検査データ受信手段が，一の検査員および他の検査員の携帯端末から送信される終了した検査箇所の位置を表すデータを受信し，制御手段が，複数の検査箇所のうち，上記終了検査位置データ受信手段によって受信した終了検査位置データによって表される，終了した検査箇所位置を排除した検査箇所の検査ルートを，終了した検査箇所の位置から検査箇所までの移動時間および検査箇所での検査時間にもとづいて検査終了までの時間が短くなるように，一の検査員および他の検査員の検査ルートを決定するように上記検査ルート決定手段を制御するものである。
【００１１】
この発明は，上記検査ルート決定システムの動作制御方法を実施するための検査ルート決定システムのコンピュータを制御するプログラムも提供している。そのようなプログラムを格納した記録媒体も提供するようにしてもよい。
【００１２】
この発明によると，一の検査員および他の検査員の現在位置が取得される。複数の検査箇所のうち，一の検査員および他の検査員のそれぞれの現在位置から検査箇所までの移動時間および検査箇所での検査時間にもとづいて複数の検査箇所の，一の検査員および他の検査員の検査ルートがそれぞれ決定される。一の検査員の検査ルートが，一の検査員の携帯端末に送信され，他の検査員の検査ルートが，他の検査員の携帯端末に送信される。
【００１３】
検査ルートを受信した一の検査員および他の検査員は，それぞれの検査ルートにしたがって最初の検査箇所の検査を行う。最初の検査が終了すると，その終了した検査位置を示すデータが一の検査員および他の検査員のそれぞれの携帯端末から検査ルート決定システムに送信される。終了した検査位置を示すデータが検査ルート決定システムにおいて受信されると，複数の検査箇所のうち，終了した検査箇所を排除した検査箇所の検査ルートが，終了した検査箇所の位置から検査箇所までの移動時間および検査箇所での検査時間にもとづいて検査終了までの時間が短くなるように，一の検査員および他の検査員について再び決定される。再び決定された検査ルートが一の検査員および他の検査員に送信される。それぞれの検査ルートにしたがって一の検査員および他の検査員が検査を続行することとなる。複数の検査箇所のうち，検査が終了した箇所を考慮して検査ルートを更新し，更新した検査ルートにしたがって検査を続行できるので，検査効率が向上する。検査員の力量，得意な検査に応じて効率良く担当者間で検査を分担できる。検査員は，決定される検査ルートだけを確認して検査箇所に移動すればよいので，比較的楽に検査をすることができる。また，検査が終了すると検査ルートが更新されるので，予想外に検査時間がかかったり，検査員の増減があったりした場合のように時々刻々と変化する検査現場の状況を考慮して最適なルートを再計算できる。このような検査ルートシステムは，ビル建設時の検査業務，プラント，トンネル，ダムなどの巨大建造物の点検業務，電柱検査などにも応用することができる。
【００１４】
上記検査ルート決定手段は，たとえば，現在位置または終了した検査箇所の位置から検査箇所までの一の検査員および他の検査員の移動可能ルートを検出する移動可能ルート検出手段，上記移動可能ルート検出手段によって検出された一の検査員および他の検査員の移動可能ルートの距離を算出する距離算出手段，および検査箇所の標準検査時間ならびに一の検査員および他の検査員の検査能力から検査箇所での一の検査員および他の検査員の検査時間を算出する検査時間算出手段を備える。この場合，上記距離算出手段によって算出された距離を移動するのに必要な移動時間および上記検査時間算出手段によって算出された検査時間にもとづいて検査終了までの時間が短くなるように一の検査員および他の検査員の検査ルートを決定することとなろう。実際に移動できるルートでの距離を考慮してルートを決定できる。
【００１５】
上記距離算出手段によって算出された一の検査員の移動可能ルートの距離と上記検査時間算出手段によって算出された一の検査員の検査時間とから一の検査員の移動と検査終了までの所要時間のスコアを検査箇所ごとに生成する第１の所要時間スコア生成手段，および上記距離算出手段によって算出された他の検査員の移動可能ルートの距離と上記検査時間算出手段によって算出された他の検査員の検査時間とから他の検査員の移動と検査終了までの所要時間のスコアを検査箇所ごとに生成する第２の所要時間スコア生成手段を備えてもよい。この場合，上記第１の所要時間スコア生成手段によって生成されたスコアと上記第２の所要時間スコア生成手段によって生成されたスコアとのうちスコアによって表わされる所要時間が短くなるスコアの順に一の検査員および他の検査員の検査ルートを決定するものとなろう。
【図面の簡単な説明】
【００１６】
【図１】検査領域を示している。
【図２】検査ルート決定サーバの電気的構成を示している。
【図３】携帯電話の電気的構成を示している。
【図４】事前準備処理手順のフローチャートである。
【図５】移動時間スコア化処理手順を示すフローチャートである。
【図６】検査箇所を示している。
【図７】移動時間リストを示している。
【図８】標準検査時間スコア化処理を示している。
【図９】標準検査時間リストを示している。
【図１０】検査能力スコア化処理を示している。
【図１１】検査能力リストを示している。
【図１２】検査処理手順を示すフローチャートである。
【図１３】携帯電話の処理手順を示すフローチャートである。
【図１４】検査ルートの一例である。
【図１５】検査ルートの一例である。
【図１６】検査ルートの一例である。
【図１７】検査ルートの一例である。
【図１８】検査ルートの一例である。
【図１９】検査ルートの一例である。
【図２０】検査ルート算出処理手順を示すフローチャートである。
【図２１】検査箇所リストを示している。
【図２２】検査箇所リストを示している。
【図２３】（Ａ）および（Ｂ）は，検査箇所リストを示している。
【図２４】検査ルート決定処理手順を示すフローチャートである。
【実施例】
【００１７】
図１は，この発明の実施例を示すもので，検査領域５内にある検査箇所Ｐ１〜Ｐ５を示している。
【００１８】
この実施例では，検査ルート決定サーバ10が利用される。検査ルート決定サーバ10は，後述する動作を制御するプログラムが格納されたCD-ROM（記録媒体）６を装填することができる。CD-ROM６が検査ルート決定サーバ10に装填され，CD-ROM６からプログラムが読み取られ，読み取られたプログラムが検査ルート決定サーバ10にインストールされる。
【００１９】
この実施例では，検査領域５内に複数の検査箇所Ｐ１〜Ｐ５が含まれている。複数の検査箇所Ｐ１〜Ｐ５が第１の検査員１および第２の検査員２の複数の検査員によって検査される。第１の検査員１は第１の検査員１用の携帯電話３を持っており，第２の検査員２は第２の検査員２用の携帯電話４を持っている。
【００２０】
この実施例では，複数の検査員である第１の検査員１および第２の検査員２のそれぞれの検査員用の携帯電話３および４に，すべての検査箇所Ｐ１〜Ｐ５の検査が終了するまでの時間が短くなるような検査ルートが表示される。第１の検査員１および第２の検査員２は，それぞれの携帯電話３および４に表示される検査ルートを見ながら検査をすることとなる。検査ルートは，第１の検査員１用のものと，第２の検査員用のものとがある。
【００２１】
携帯電話３および４は，検査ルート決定サーバ10と通信可能である。検査ルート決定サーバ10から第１の検査員１の携帯電話３に第１の検査員１用の検査ルートを表すデータが送信され，検査ルート決定サーバ10から第２の検査員２の携帯電話４に第２の検査員２用の検査ルートを表すデータが送信される。第１の検査員１の携帯電話３には，第１の検査員１用の検査ルートが表示され，第２の検査員２の携帯電話４には，第２の検査員１用の検査ルートが表示されることとなる。第１の検査員１は，携帯電話３に表示された検査ルートにしたがって検査を行い，第２の検査員２は，携帯電話４に表示された検査ルートにしたがって検査を行う。複数の検査箇所Ｐ１〜Ｐ５のうち，いずれかの検査箇所の検査が終了すると，検査ルート決定サーバ10において検査ルートが再度決定（更新）される。新たな検査ルートが，検査ルート決定サーバ10から第１の検査員１の携帯電話３および第２の検査員２の携帯電話４に送信される。新たな検査ルートで第１の検査員１および第２の検査員２が検査をすることとなる。
【００２２】
図１においては，二人の検査員１および２が図示されているが，検査員は三人以上の複数でもよい。また，検査箇所はＰ１〜Ｐ５の５箇所が図示されているが，５箇所以外の複数でもよいのはいうまでもない。
【００２３】
図２は，検査ルート決定サーバ10の電気的構成を示すブロック図である。
【００２４】
検査ルート決定サーバ10の全体の動作は，ＣＰＵ11によって統括される。
【００２５】
検査ルート決定サーバ10には，上述したようにCD-ROM６を装填し，CD-ROM６に格納されている動作プログラムを読み取るためのCD-ROMドライブ17が含まれている。また，検査ルート決定サーバ10には，表示装置12，携帯電話３，４などと通信するための通信装置13も含まれている。さらに，検査ルート決定サーバ10には，ハードディスク（図示略）にアクセスするハードディスク・ドライブ14，所定のデータ等を一時的に記憶するメモリ15，キーボードなどの入力装置16が含まれている。
【００２６】
図３は，携帯電話３の電気的構成を示すブロック図である。携帯電話４の構成も同様である。
【００２７】
携帯電話３の全体の動作は，ＣＰＵ21によって統括される。
【００２８】
携帯電話３には，表示装置22，テン・キーパッドを含むキーパッド23，検査ルート決定サーバ10などと通信するための通信装置24，所定のデータを一時的に記憶するメモリ25などが含まれている。また，携帯電話３には，マイクロフォン26およびスピーカ28も含まれている。マイクロフォン26に入力する音声およびスピーカ28から出力する音声を制御する音声制御装置27も携帯電話３に含まれている。さらに，携帯電話３には，メモリ・カード31にアクセスするメモリ・カード・リーダ／ライタ29および位置を検出するＧＰＳ（global positioning system）30も含まれている。
【００２９】
図４は，検査ルート決定サーバ10において行われる事前準備の処理手順を示すフローチャートである。
【００３０】
この実施例では，検査員３および４による検査の前に事前準備が行われる。
【００３１】
まず，検査員３および４が検査箇所に移動するのに必要な移動時間のスコア化処理が行われる（ステップ41）。つづいて，検査箇所Ｐ１〜Ｐ５のそれぞれの検査箇所において標準的な検査時間をスコア化する処理が行われる（ステップ42）。さらに，検査員３および４の検査能力をスコア化する処理が行われる（ステップ43）。
【００３２】
図５は，移動時間スコア化処理（図４ステップ41の処理）を示すフローチャートである。
【００３３】
まず，検査領域５における検査対象Ｐ１〜Ｐ５を含む図面が検査ルート決定サーバ10に入力される（ステップ51）。
【００３４】
図６は，図面（地図）の一例である。
【００３５】
上述したように，検査箇所Ｐ１〜Ｐ５が図示されている。検査箇所Ｐ１〜Ｐ５の×印は未検査であることを示している。検査箇所Ｐ１〜Ｐ５に行くためのルートR01，R02，R04，R12，R13，R23，R25，R45，R56などが図示されている。これらのルートR01等が検査員３および４が通行できるルートである。ルートR01，R02，R04，R12，R13，R23，R25，R45，R56は，検査箇所の間の道を原則として示している。たとえば，ルートR02は，検査箇所Ｐ１とＰ２との間の道を示し，ルートR13は，検査箇所Ｐ１とＰ３との間の道を示している。ルート以外の場所は検査員３および４は通ることができない。また，通行不可と記載されているルートは通行できない。図６において，左上の位置は符号PAで示され，右下の位置は符号PBで示されている。このような図面があらかじめ生成されており，その図面を表すデータが検査ルート決定サーバ10に入力される。
【００３６】
図面を表すデータが入力されると，その入力されたデータから検査員３および４が移動可能なルートが検出される（ステップ52）。図６に示す例では，ルートR01，R02，R04，R12，R13，R23，R25，R45およびR56が移動可能なルートとして検出される。
【００３７】
つづいて，移動可能なルートのうち，図面の縮尺情報を利用して移動可能ルートの実際の距離が算出される（ステップ53）。実際の距離を利用して移動可能なルートの移動時間がスコア化される（ステップ54）。
【００３８】
図７は，移動時間リストの一例である。
【００３９】
移動時間リストは，移動可能なルートとそのルートを移動するときの移動時間のスコアとを対応づけて格納するものである。スコアが大きいほど移動時間がかかり，スコアが小さいほど時間がかからない。ルートR13は，他のルートよりも距離が長いので，他のルートよりもスコアが大きい（移動時間が長くかかる）。
【００４０】
図８は，標準検査時間スコア化処理（図４ステップ42の処理）手順を示すフローチャートである。
【００４１】
まず，図面（図６参照）において，複数の検査箇所Ｐ１〜Ｐ５の中から検査箇所が指定される（ステップ61）。つづいて，検査内容（検査項目）が入力される（ステップ62）。入力された検査内容から標準検査時間が算出され，算出された標準検査時間がスコア化される（ステップ63）。すべての検査箇所Ｐ１〜Ｐ５について標準検査時間がスコア化されるまでステップ61から63の処理が繰り返される（ステップ64）。スコア化された標準検査時間が標準検査時間リストに登録される（ステップ65）。
【００４２】
図９は，標準検査時間リストの一例である。
【００４３】
標準検査時間リストは，上述のようにスコア化された標準検査時間（通常の技術をもつ検査員が検査に必要と思われる時間）が検査箇所Ｐ１〜Ｐ５のそれぞれに対応して格納されているものである。スコアが小さいほど検査時間が短く，スコアが大きいほど検査時間が長い。たとえば，検査箇所Ｐ１のスコアは１であり，検査箇所Ｐ２のスコアは２であるから，検査箇所Ｐ１よりも検査箇所Ｐ２の方が検査に必要な標準的な時間が長い。
【００４４】
図10は，検査能力スコア化処理（図４ステップ43の処理）手順を示すフローチャートである。
【００４５】
検査能力スコア化処理は，検査員ごとの移動能力および検査能力をスコア化するものである。検査員ごとに検査能力スコア化処理が行われる。
【００４６】
まず，検査員情報（検査員の名前など）が検査ルート決定サーバ10に入力される（ステップ71）。つづいて，その検査員情報に対応する検査実績データが検査ルート決定サーバ10に入力される（ステップ72）。検査実績データは，検査員が過去に行った検査の内容ごとの検査時間，移動時間などのデータである。検査員が過去に行った検査がない場合にはデフォルトのデータが入力されるのはいうまでもない。
【００４７】
入力された検査実績データから移動時間の能力を示す移動能力がスコア化される（ステップ73）。さらに，入力された検査実績データから検査能力がスコア化される（ステップ74）。検査能力は検査内容ごとにスコア化してもよいのはいうまでもない。スコア化された移動能力，スコア化された検査能力が検査能力リストに登録される（ステップ75）。
【００４８】
図11は，検査能力リストの一例である。
【００４９】
検査能力リストは，上述したスコア化された移動能力およびスコア化された検査能力を検査員ごとに格納するものである。検査内容ごとに検査能力リストが生成される。
【００５０】
スコア化された移動能力およびスコア化された検査能力のいずれもスコアが小さいほど能力が高い。
【００５１】
図12は，検査員３，４が検査を行うときの検査ルート決定サーバ10の処理手順を示すフローチャート，図13は，検査員１，２が検査を行うときの形態である。
【００５２】
図12は，検査員１，２が検査をするときの検査ルート決定サーバ10の処理手順を示すフローチャートである。図13は，検査員１が検査をするときの携帯電話３の処理手順を示すフローチャートである。携帯電話４を持った検査員２はすでに検査領域５に入っているものとする。
【００５３】
携帯電話３にあらかじめインストールされている検査プログラムが起動させられている状態で，携帯電話３を持った検査員１が検査領域５に入ると，携帯電話３を用いて検査ルート決定サーバ10にアクセスされる。携帯電話３が検査ルート決定サーバ10にログインすると（図13ステップ91でＹＥＳ），携帯電話３のＧＰＳ30によって現在位置が検出される。検出された現在位置を表すデータが携帯電話３から検査ルート決定サーバ10に送信される。検査ルート決定サーバ10において，検査員１の位置情報が取得される（図12ステップ81）。すると，検査ルート決定サーバ10において，検査員１の検査ルートが算出される（ステップ82）。検査ルート算出処理の詳細については後述する。
【００５４】
算出した検査ルートを表すデータ，検査内容，検査箇所などの検査情報が検査ルート決定サーバ10から検査員１の携帯電話３に送信される（図12ステップ82）。また，検査員２のための検査ルートも算出されており，その検査ルートを表すデータも検査ルート決定サーバ10から検査員１の携帯電話４に送信されている。
【００５５】
検査ルート決定サーバ10から検査員１の携帯電話３に検査ルートを表すデータ，検査情報が送信されると，そのデータ，検査情報が携帯電話３において受信される（図13ステップ92）。携帯電話３の表示画面に検査員１の検査ルートが表示される（図13ステップ93）。同様にして，検査員２の携帯電話４の表示画面には検査員２の検査ルートが表示される。
【００５６】
図14は，検査員１の携帯電話３の表示画面に表示される検査ルートの一例である。
【００５７】
表示画面には，上述した検査箇所Ｐ１〜Ｐ５が含まれている図面が表示されている。検査員１は，位置PAにいるものとする。位置PAに検査員１がいることを検査員１に示すために検査員１のアイコン101が表示されている。また，算出された検査員１の検査ルートＲ１が矢印で図示されている。さらに，検査員１が次に（最初に）検査すべき検査予定箇所が破線111で示され，その次に検査すべき検査予定箇所が破線112で示されている。検査員１は，自分の携帯電話３の表示画面に表示された検査ルートＲ１にしたがって移動すればよく，最初に破線111で示す検査予定箇所Ｐ１を検査し，その後に破線112で示す検査予定箇所Ｐ２を検査すればよいことを知る。
【００５８】
図15は，検査員２の携帯電話４の表示画面に表示される検査ルートの一例である。
【００５９】
検査員１の携帯電話３の表示画面と同様に，検査員２の携帯電話４の表示画面にも上述した検査箇所Ｐ１〜Ｐ５が含まれている図面が表示されている。検査員２は，位置PBにいるものとする。位置PBに検査員２がいることを，検査員２に示すために検査員２のアイコン102が表示されている。また，算出された検査員２の検査ルートＲ２が図示されている。さらに，検査員２が次に（最初に）検査すべき検査予定箇所が破線121で示され，その次に検査すべき検査予定箇所が破線122で示されている。検査員２は，自分の携帯電話４の表示画面に表示された検査ルートＲ２にしたがって移動すればよく，最初に破線121で示す検査予定箇所Ｐ５を検査し，その後に破線122で示す検査予定箇所Ｐ４を検査すればよいことを知る。
【００６０】
検査員１は，位置PAから最初の検査予定箇所P1に移動して，検査予定箇所Ｐ１で検査情報にしたがって検査を実施することとなる（図13ステップ94）。同様に，検査員２は，位置PBから最初の検査予定箇所Ｐ５に移動して，検査予定箇所Ｐ５で検査情報にしたがって検査を実施することとなる。
【００６１】
検査員１の検査が終了すると，検査結果，検査を終了した検査箇所を示す終了検査位置データが携帯電話３から検査ルート決定サーバ10に送信される（図13ステップ95）。検査員２の検査が終了した場合も，同様に，検査結果，検査を終了した検査箇所を示す終了検査位置データが携帯電話４から検査ルート決定サーバ10に送信される。
【００６２】
検査員１の携帯電話３または検査員２の携帯電話４から送信された検査結果，終了検査位置データが検査ルート決定サーバ10において受信されると（図12ステップ84でＹＥＳ），検査ルート決定サーバ10において管理している検査箇所Ｐ１〜Ｐ５の検査状況が更新される（図12ステップ85）。つづいて，後述する移動能力スコア，検査能力スコアも更新される（図12ステップ86）。すべての検査箇所が終了していなければ（図12ステップ87でＮＯ），図12ステップ82からの処理が繰り返されて再び検査員１の検査ルートおよび検査員２の検査ルートが算出される（検査ルートの更新）。更新された検査員１の検査ルートを表すデータなどが検査員１の携帯電話３に送信され，更新された検査員３の検査ルートを表すデータなどが検査員２の携帯電話４に送信される。
【００６３】
図16は，検査員１の携帯電話３の表示画面に表示される検査ルートの一例であり，更新された検査員１の検査ルートを示している。図17は，検査員２の携帯電話４の表示画面に表示される検査ルートの一例であり，更新された検査員２の検査ルートを示している。
【００６４】
検査員１が最初の検査箇所Ｐ１の検査中に，検査員２が最初の検査箇所Ｐ５の検査が終了して，上述のように検査員２の携帯電話４から検査ルート決定サーバ10に終了検査位置データ等が送信されたものとする。
【００６５】
検査員２は検査箇所Ｐ５の検査を終了したから，終了したことを示す丸印が表示される。検査ルート決定サーバ10において，検査ルートが再度算出され，検査員２の次の検査箇所が検査箇所Ｐ４であり，その次の検査箇所が検査箇所Ｐ２と決定されたものとする。すると，検査員２の携帯電話４の表示画面には，図17に示すように，最初の検査箇所が破線121で示され，その次の検査箇所が破線122で示される。それらの検査箇所Ｐ４およびＰ２への検査ルートＲ２も携帯電話４の表示画面に表示される。
【００６６】
検査員１の検査ルートの再算出により，検査箇所Ｐ１の次の検査箇所が検査箇所Ｐ２からＰ３に変更されたものとする。その変更に応じて，検査員１の携帯電話３の表示画面には，現在検査中の検査箇所Ｐ１の次に検査する検査箇所Ｐ３が破線112で示されることとなる。また，検査箇所Ｐ３への検査ルートＲ１が携帯電話３の表示画面に表示される。
【００６７】
このようにして，検査の終了に応じて検査員１および検査員２のそれぞれの検査ルートが変更され，変更されたそれぞれの検査ルートがそれぞれの携帯電話３および４の表示画面に表示される。
【００６８】
さらに，検査員１が検査箇所Ｐ１およびＰ３の検査を終了し，検査員２が検査箇所Ｐ４の検査中であったものとする。上述のように，検査の終了に応じて，検査員１の検査ルートおよび検査員２の検査ルートが変更される。
【００６９】
図18は，検査員１の携帯電話３の表示画面に表示される検査ルートの一例であり，図19は，検査員２の携帯電話４の表示画面に表示される検査ルートの一例である。
【００７０】
図18を参照して，検査員１は検査箇所Ｐ１の検査が終了したから，次の検査予定箇所である検査箇所Ｐ２が破線111で囲まれている。また，その検査箇所Ｐ２までの検査ルートＲ１も表示されている。これに対して，図19を参照して，検査員２は検査箇所Ｐ４の次の検査予定箇所が検査箇所Ｐ２であったのが，その検査箇所Ｐ２は検査員１が次に検査することとなったので，携帯電話４の表示画面には次の検査箇所であることを示す破線121は表示されなくなる。検査員２は，破線121または122で示される検査予定箇所がなくなったので，自分が検査する箇所が終了したことが分かる。
【００７１】
携帯電話３においてすべての検査が終了すると（図13ステップ96でＹＥＳ），処理が終了する。携帯電話４においても同様である。
【００７２】
このようにして，検査予定箇所および検査ルートが検査の進捗に応じて更新され，効率のよい検査を実現できるようになる。
【００７３】
図20は，検査ルート算出処理（図12ステップ82の処理）手順を示すフローチャートである。
【００７４】
上述のように，携帯電話３から送信された検査員情報，現在位置情報が検査ルート決定サーバ10において受信されると，その受信した検査員情報，現在位置情報が読み取られる（ステップ131）。つづいて，検査箇所リストが生成される（ステップ132）。
【００７５】
図21は，検査員１の検査箇所リストの一例である。
【００７６】
検査箇所リストには，検査員１の現在位置から検査箇所までの移動時間（スコア化されたもの），検査所要時間（スコア化されたもの）および総スコアが複数の検査箇所Ｐ１〜Ｐ５に対応して格納されている。スコア化された移動時間は，移動時間リスト（図７参照）とその検査員の検査能力リスト（図11参照）に格納されている，その検査員のスコア化された移動能力とから，その検査員についてのものが算出される。スコア化された検査所要時間は，標準検査時間リスト（図９参照）と検査能力リスト（図11参照）に格納されている，その検査員のスコア化された検査能力とから，その検査員についてのものが算出される。総スコアは，スコア化された移動時間とスコア化された検査所要時間とを加算したものである。総スコアが小さいほど，その検査員１が現在位置から検査箇所まで移動して検査を終了するまでの時間が短いことを示している。総スコアの小さい検査箇所から優先して検査が行われればよいことが分かる。
【００７７】
図20に戻って，検査箇所リストが生成されると（ステップ133でＹＥＳ），生成された検査箇所リストの総スコアが昇順となるようにソートされる（ステップ134）。
【００７８】
図23（Ａ）は，ソートされた検査員１の検査箇所リストの一例である。
【００７９】
総スコアの昇順のソートにより検査箇所の配列が異なっている。上の方の検査箇所ほど検査員１が検査する優先度が高いこととなる。
【００８０】
すべての検査員について検査箇所リストの生成およびソートが終了するまで，ステップ131から135までの処理が繰り返される。同様にして，検査員２の検査ルート算出処理において，検査員２の検査箇所リストも生成される。
【００８１】
図22は，検査員２の検査箇所リストの一例である。
【００８２】
検査員１の現在位置，検査員２の現在位置，検査員１の検査能力，検査員２の検査能力が異なっているために，図21に示す検査員１の検査箇所リストと図22に示す検査員２の検査箇所リストとを比べれば分かるように，検査箇所Ｐ１〜Ｐ５に対する総スコアが異なっている。したがって，検査員１と検査員２とでは，優先して検査する検査箇所が異なる。
【００８３】
図23（Ｂ）は，ソートされた検査員２の検査箇所リストの一例である。
【００８４】
総スコアの昇順のソートにより検査箇所の配列が異なっている。上の方の検査箇所ほど検査員２が検査する優先度が高いこととなる。
【００８５】
図20に戻って，検査領域５内にいるすべての検査員についての検査箇所リストの生成，ソートが終了すると（ステップ135でＹＥＳ），検査員ごとの検査ルート決定処理が行われる（ステップ136）。この検査ルート決定処理については後述する。決定した検査ルートが記憶される（ステップ137）。
【００８６】
図24は，検査ルート決定処理（図20ステップ136）の処理手順を示すフローチャートである。
【００８７】
ソートされた複数の検査箇所リストのうち，先頭の総スコアが比較される（ステップ141）。比較された先頭の総スコアのうち，最低の総スコアの検査箇所の検査員が決定する（ステップ142）。図23（Ａ）および（Ｂ）に示す例では，検査員１の検査箇所リストの先頭の総スコアは４であり，検査員２の検査箇所リストの最低の総スコアは３であるから，最低の総スコア３である検査箇所Ｐ５の検査員が検査員２と決定される。
【００８８】
検査箇所について検査員が決定すると，その決定した検査員以外の検査員の検査箇所リストから，検査員が決定した検査箇所が削除される（ステップ143）。図23（Ａ）および（Ｂ）の例であれば，図23（Ａ）に示す検査員１の検査箇所リストから検査員が決定された検査箇所Ｐ５が削除される。
【００８９】
検査員全員の決定箇所が決定するまで，ステップ141から143までの処理が繰り返される（ステップ144）。図23（Ａ）および図23（Ｂ）の例であれば，検査箇所Ｐ５が決定した後の最低の総スコアは検査員１の検査箇所リストの検査箇所Ｐ１である。検査員１の最初の検査箇所がＰ１と決定される。
【００９０】
検査員全員の検査箇所が決定されると（ステップ144でＹＥＳ），所定の回数分の検査箇所が決定されるまでステップ141から144までの処理が繰り返される（ステップ145）。たとえば，２回分の検査予定箇所を決定する場合には，ステップ141から144までの処理が２回行なわれる。図23（Ａ）および図23（Ｂ）に示す例では，検査員１は，最初の検査予定箇所として検査箇所Ｐ１が決定し，その次の検査予定箇所として検査箇所Ｐ２が決定される。検査員２は最初の検査予定箇所として検査箇所Ｐ５が決定し，その次の検査予定箇所として検査箇所Ｐ４が決定される。検査予定箇所が決定することにより，上述のように（図14，図15参照），検査ルートおよび検査予定箇所が決定する。
【００９１】
上述のように検査が終了し，検査員１または検査員２の携帯電話３または４から終了検査位置データが受信されると，ソートされた検査員１および検査員２の両方の検査箇所リストから，終了位置データによって特定される検査箇所が削除される。検査が終了した検査箇所の残りの検査箇所が含まれている，検査員１および検査員２の検査箇所リストから上述のようにして次の検査予定箇所，検査ルートが決定する。決定した検査予定箇所，検査ルートが検査員１および検査員２に送信され，更新された検査予定箇所，検査ルートが図16から図19に示したように，携帯電話３および携帯電話４の表示画面に表示されるのは理解できよう。
【符号の説明】
【００９２】
10  検査ルート決定サーバ
11  ＣＰＵ
13  通信装置
【図１】
2012203839.tif 000003
【図２】
2012203839.tif 000004
【図３】
2012203839.tif 000005
【図４】
2012203839.tif 000006
【図５】
2012203839.tif 000007
【図６】
2012203839.tif 000008
【図７】
2012203839.tif 000009
【図８】
2012203839.tif 000010
【図９】
2012203839.tif 000011
【図１０】
2012203839.tif 000012
【図１１】
2012203839.tif 000013
【図１２】
2012203839.tif 000014
【図１３】
2012203839.tif 000015
【図１４】
2012203839.tif 000016
【図１５】
2012203839.tif 000017
【図１６】
2012203839.tif 000018
【図１７】
2012203839.tif 000019
【図１８】
2012203839.tif 000020
【図１９】
2012203839.tif 000021
【図２０】
2012203839.tif 000022
【図２１】
2012203839.tif 000023
【図２２】
2012203839.tif 000024
【図２３】
2012203839.tif 000025
【図２４】
2012203839.tif 000026